(57)【要約】移動性管理情報に合わせてユーザ機器にサービスを提供するように構成された通信システム。システムは、ユーザ・プロフィール・データにしたがった少なくとも一つのユーザ機器のための通信セッションの現状を制御することが可能な、セッション・プロトコル・サーバ（Ｓ−ＣＳＣＦ）と、ユーザ・プロフィール・データをセッション・プロトコル・サーバ（Ｓ−ＣＳＣＦ）に提供する加入者情報データベース（ＨＳＳ）と、移動性サーバとを有している。移動性サーバは、ユーザ機器と交信するための現状の指示を提供する移動性依存評価報告と、そして評価報告に基づいて移動性管理情報の生成の操作が可能な移動性管理器を有している。移動性サーバはまた、移動性管理器とセッション・プロトコル・サーバ（Ｓ−ＣＳＣＦ）との間のコール制御信号データの交信を操作することが可能な、アプリケーション・プログラマーのインターフェースを有している。移動性管理器は、アプリケーション・プログラムから得られる情報のための加入に応じた、移動性管理情報のユーザ機器にサービスを提供するアプリケーション・プログラムの報告を操作することができるようになっており、加入は、コール制御信号データを用いることによってセッション・プロトコル・サーバ（Ｓ−ＣＳＣＦ）を介して提供される。移動性サーバをシステムに統合することによって、移動性サーバによって提供された移動性管理情報をシステムが提供する他のサービスに統合することができる。このように、移動性サーバに加入するシステムにおいてアプリケーション・プログラムを展開するモバイル・ユーザは、確立されたシステムコンポーネントによって提供された付加価値と確立されたインターフェースの再使用から恩恵を受けることができる。
2007521773.tif 000002
【特許請求の範囲】
【請求項１】
インターネット・プロトコル・マルチメディア・サブシステム（ＩＭＳ）の一環としてユーザ機器にサービスを提供するアプリケーション・プログラムに、移動性管理情報を提供する移動性サーバであり、
ユーザ機器と通信するための現状の条件の少なくとも一つの指示を与える移動性依存評価報告、並びにユーザ機器の相対的位置の指示の受信、そして評価報告に基づく移動性管理情報の形成の働きをすることが可能な管理器と、
移動性管理機器とＩＭＳの一環を形成するセッション・プロトコル・サーバ（Ｓ−ＣＳＣＦ）との間の、コール制御信号データの伝達の働きをすることが可能なアプリケーション・プログラマーのインターフェースとを有するものであり、これにおいて、移動性管理機器は、アプリケーション・プログラムからの移動性管理情報の加入に応じて、移動性管理情報のアプリケーション・プログラムを通知する働きをすることが可能であり、移動性管理情報の加入は、コール制御データを用いたセッション・プロトコル・サーバ（Ｓ−ＣＳＣＦ）を介して提供される。
【請求項２】
移動性管理器は、セッション・プロトコル・サーバ（Ｓ−ＣＳＣＦ）を介して伝達されるコール制御信号データを介して、アプリケーション・サーバに移動性管理情報を提供する操作をすることが可能であることを特徴とする、請求項１に記載の移動性サーバ。
【請求項３】
アプリケーション・プログラムは、コール制御信号データを介してセッション・プロトコル・サーバから受信されたメッセージに応じて、操作可能であることを特徴とする、請求項１または２に記載の移動性サーバ。
【請求項４】
アプリケーション・プログラマーのインターフェースは、コール制御信号データを、ＳＩＰインターフェースを介して伝達する操作をすることが可能であり、コール制御信号データはＳＩＰデータである、セッション開始プロトコル（ＳＩＰ）を有することを特徴とする、請求項１から３のいずれか一つに記載の移動性サーバ。
【請求項５】
アプリケーション・プログラマーのインターフェースは、ＩＭＳの加入者情報データベース（ＨＳＳ）へのアクセスを提供するように構成されており、加入者情報データベースは、ユーザ機器用のユーザ・プロフィール・データを提供し、アプリケーション・プログラムは、ユーザ・プロフィール・データが、ユーザ機器がモバイルであることを示す場合には、移動性管理情報のために、移動性管理器に加入するように構成されていることを特徴とする、請求項１から４のいずれか一つに記載の移動性サーバ。
【請求項６】
アプリケーション・プログラマーのインターフェースは、インターネット・パケットを受信するように構成されており、インターネット・パケットは評価報告を有しており、評価報告を移動性管理器に提供するように構成されていることを特徴とする、請求項１から５のいずれか一つに記載の移動性サーバ。
【請求項７】
移動性サーバは、インターネット・プロトコル・パケットをユーザ機器から受信するためのホーム・エージェントを有しており、移動性サーバは、ホーム・エージェントに提供されたユーザ機器のためのインターネット・プロトコル・アドレスの変更からユーザ機器の相対的位置を判定する操作をすることが可能であり、相対的位置は、アプリケーション・プログラムに伝達された移動性情報の一部を形成することを特徴とする、請求項６に記載の移動性サーバ。
【請求項８】
移動性サーバは、アクセス・ネットワーク評価報告を提供するインターネット・パケットに応答し、ユーザ機器と通信するための現状の条件を判定し、移動性サーバは、移動性管理情報との通信条件の表示を含むような操作することが可能であることを特徴とする、請求項６に記載の移動性サーバ。
【請求項９】
移動性サーバは、移動ユーザ機器のための関連性のあるユーザ・プロフィール・データに関する情報を保存するための加入者コンテキスト登録器を有しており、ユーザ情報は、移動性管理情報をアプリケーション・プログラムに適合させるために、移動性管理器を用いることを特徴とする、請求項１から８のいずれか一つに記載の移動性サーバ。
【請求項１０】
アプリケーション・プログラムをホスティングするためのアプリケーション・サーバを有し、アプリケーション・プログラムは、移動性サーバによって提供される移動性管理情報にしたがって、ユーザ機器にサービスを提供し、アプリケーション・プログラマーのインターフェースは、アプリケーション・サーバと通信するための機能を有していることを特徴とする、請求項１から９のいずれか一つに記載の移動性サーバ。
【請求項１１】
移動性管理情報に応じてユーザ機器にサービスを提供するためのマルチメディア通信システムであり、サービスは、アプリケーション・プログラムによって提供されるものであり、システムは、
ユーザ・プロフィール・データにしたがった少なくとも一つのユーザ機器のための通信セッションの現状を制御することが可能な、セッション・プロトコル・サーバ（Ｓ−ＣＳＣＦ）と、
ユーザ・プロフィール・データをセッション・プロトコル・サーバ（Ｓ−ＣＳＣＦ）に提供する加入者情報データベース（ＨＳＳ）と、
ユーザ機器と交信するための現状の条件の指示の少なくとも一つを提供する移動性依存評価報告と、ユーザ機器の相対的位置の指示を受信し、そして評価報告に基づいて移動性管理情報の生成の操作が可能な移動性管理器を有する移動性サーバと、
移動性管理器とセッション・プロトコル・サーバ（Ｓ−ＣＳＣＦ）との間のコール制御信号データの交信を操作することが可能な、アプリケーション・プログラマーのインターフェースとを有しており、これにおいて、移動性管理器は、アプリケーション・プログラムから得られる情報のための加入に応じた、移動性管理情報のユーザ機器にサービスを提供するアプリケーション・プログラムの報告を操作することができるようになっており、加入は、コール制御信号データを用いることによってセッション・プロトコル・サーバ（Ｓ−ＣＳＣＦ）を介して提供される。
【請求項１２】
加入者情報データベースにアクセスができるよう、そして評価報告となるデータを提供するユーザ機器からインターネット・パケットを受信し、そして移動性管理器に評価報告を提供することができるように、アプリケーション・プログラマーのインターフェースを操作することが可能であることを特徴とする、請求項１１に記載の通信システム。
【請求項１３】
インターネット・プロトコル・マルチメディア・サブシステム（ＩＭＳ）においてユーザ機器にサービスを提供するアプリケーション・プログラムに移動性管理情報を提供するための方法であり、該方法は、
移動性サーバで移動性依存評価報告を受信し、評価報告は、ユーザ機器と通信するための現状条件の指示、または、ユーザ機器の相対的地理的位置の指示のうちの少なくとも一つを提供するものであり、
評価報告に基づいて移動性管理情報を生成し、
アプリケーション・プログラムからの情報のための加入に応じて、移動性管理情報のユーザ機器にサービスを提供するアプリケーション・プログラムを報告し、これにおいて、移動性情報のための加入は、アプリケーション・プログラムから移動性サーバに提供され、
それは、インターネット・プロトコル・マルチメディア・サブシステムの一部を形成するセッション・プロトコル・サーバ（Ｓ−ＣＳＣＦ）を介して、移動性管理器とアプリケーション・プログラムとの間でコール制御信号データを伝達して行われる。
【請求項１４】
移動性管理情報のアプリケーション・プログラムの通知は、
移動性管理情報を、コール制御信号データを用いることによってアプリケーション・サーバに伝達することを有し、コール制御信号データの伝達はセッション・プロトコル・サーバ（Ｓ−ＣＳＣＦ）を介して行われることを特徴とする、請求項１３に記載の方法。
【請求項１５】
コール制御信号データは、セッション開始プロトコル（ＳＩＰ）メッセージを有することを特徴とする、請求項１３または１４に記載の方法。
【請求項１６】
移動性サーバは、ホーム・エージェントを有し、
そして移動ユーザ機器の相対的位置の表示は、ホーム・エージェントに通知されたユーザ機器のインターネット・プロトコル・アドレスの変更の表示に基づいて評価報告によって提供され、移動性管理情報の生成は、ホーム・エージェントに提供されたユーザ機器のためのインターネット・プロトコル・アドレスの変更からのユーザ機器の相対的地理的位置を判定することを有し、地理的位置は、アプリケーション・プログラムと交信する移動性情報の一部を形成することを特徴とする、請求項１３から１５のいずれか一つに記載の方法。
【請求項１７】
ユーザ機器と交信するための現状の条件を示すアクセス・ネットワーク評価報告を提供することを有し、移動性サーバが、移動性管理情報との通信条件の表示を有することが操作可能であることを特徴とする、請求項１４から１６のいずれか一つに記載の方法。
【発明の詳細な説明】
【技術分野】
【０００１】
本発明は、通信システムにおいて移動性管理情報を提供するための移動性サーバに関するものである。
【０００２】
本発明はまた、マルチメディア通信サービスを提供するための通信システムに関するものでもある。
【０００３】
いくつかの実施例では、通信システムは、インターネット・プロトコル・マルチメディア・サブシステム（ＩＭＳ）を含んでいる。
【背景技術】
【０００４】
発明の背景
３ＧＰＰの名で知られる第三世代のパートナーシッププロジェクトは、マルチメディアとコール制御サービス・アーキテクチャーを提供するために、インターネット・プロトコル・マルチメディア・サブシステム（ＩＭＳ）を開発し、そして標準化した。サービス・アーキテクチャーは、即時応答をすることが可能なＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）によって支援されるものであり、該ＩＭＳは、パケットの形でインターネット・プロトコルとデータ通信を行うものである。ＩＭＳは、数々の新たなサービスのサービス提供ならびに展開するための土台を提供するものであり、また、該ＩＭＳは標準化された収斂プラットホームとして想定されており、それにより、即時応答のマルチメディア・サービスと非即時応答のサービスが、そして人から機械への通信とが統合可能になる。更に、ＩＭＳは、マルチメディアセッションの間稼働している、メディアのタイプ変更を可能にする能力を付与する。例えば、ビデオのメディアを、本来は音響のみの通信のために確立された通信セッションの間に追加することができる。
【０００５】
同時に出願された欧州特許出願第０２２９３２７６．８号は、移動性管理器を開示しており、該移動性管理器は、ネットワーク事業者から受信した情報に従った、携帯端末の一つのアクセス・ネットワークから他のアクセス・ネットワークへのハンドオーバーの実行を開始するものであり、そのネットワーク自体、携帯端末ならびにネットワークの方針は執行者から提供されたものである。移動性管理器は、再接続が発生する前または後に、サポート・サービスに携帯端末が再接続されるアクセス・ネットワークの相対的能力に従って、アプリケーション・プログラムから提供されるサービスに適応するように、ネットワーク事業者に便宜を与える。そのために、これにおいて、アプリケーション・サーバと携帯端末と、携帯通信ネットワークの中核に位置する移動性管理器との間の通信プロトコルが開示されている。
【０００６】
国際公開第０１／５８１７７号パンフレットは、携帯通信ネットワークにおける通信セッションを実行する携帯端末のハンドオーバーを制御する方法を開示している。その方法は、ハンドオーバー必要条件を示すトリガー信号を受信すること、ハンドオーバーに必要な条件を、通信のためのネットワークについての運営方針に照らし、また、通信ネットワークの運営方針についてのハンドオーバー必要条件にしたがって、ハンドオーバー必要条件を制御することを含む。
【特許文献１】国際公開第０１／５８１７７号パンフレット
【発明の開示】
【０００７】
発明の要約
本発明によれば、アプリケーション・プログラムに移動性管理情報を提供する移動性サーバが与えられている。アプリケーション・プログラムは、ユーザ機器に、インターネット・プロトコル・マルチメディア・サブシステム（ＩＭＳ）の一環としてのサービスを提供している。移動性サーバは移動性管理器を有するものであり、該管理器は、ユーザ機器と通信するための現状の条件の少なくとも一つの指示を与える移動性依存評価報告、並びにユーザ機器位置の指示の受信、そして評価報告に基づく移動性管理情報の形成の働きをすることが可能である。移動性サーバは、アプリケーション・プログラマーのインターフェースを有するものであり、該インターフェースは、移動性管理機器とＩＭＳの一環を形成するセッション・プロトコル・サーバ（Ｓ−ＣＳＣＦ）との間の、コール制御信号データの伝達の働きをすることが可能である。移動性管理機器は、アプリケーション・プログラムからの移動性管理情報の加入に応じて、移動性管理情報のアプリケーション・プログラムを通知する働きをすることが可能であり、移動性管理情報の加入は、コール制御データを用いたセッション・プロトコル・サーバ（Ｓ−ＣＳＣＦ）を介して提供される。
【０００８】
移動性管理情報は、特定のユーザ、あるいは、移動性サービスに申し込んだ一群のユーザのために提供されてもよい。
【０００９】
本発明の実施例は、通信システムのための移動性サーバを提供することが可能であり、該サーバは、インターネット・プロトコル・マルチメディア・サブシステム（ＩＭＳ）の一環を形成するものであり、ユーザ機器とのマルチメディア通信セッションの確立、制御ならびに終了させるための手段を提供するものである。移動性サーバは、システムによって提供された通信設備にサポートされるユーザ機器に、携帯性を向上させたサービスを許可することが可能な通信システムを提供することができる。移動性サーバは、システムの一環として移動性管理情報を生成するように位置されている。その結果、ＩＭＳが、ユーザ機器に移動性依存サービスを提供することが可能となる。このようなマルチメディア・アプリケーションのためのサービスの一例は、モバイルユーザ機器との通信の現状に応じて、セッションの間支援されるメディアのタイプを適合させることを有するものである。
【００１０】
以下に続く説明において、移動性依存評価報告という語は、あるモバイルユーザ機器で確認される通信条件の現状を示すアクセス・ネットワーク評価報告や、モバイルユーザ機器の相対位置を示す報告のようなものを含むものとして用いられる。
【００１１】
ある実施例において、携帯端末はホーム・エージェントを含んでいてもよく、それによりアクセス・ネットワークの変化がなされ、更新はモバイルユーザ機器によって行われなくてはならないものであり、その結果、ＩＰアドレスの変更がなされる。ホーム・エージェントによって、移動性管理器に報告されるＩＰアドレスの変更は、ユーザ機器の相対位置の指示をするのに提供することが可能であり、該位置より、地理的条件に依存するサービスが提供されることが可能である。
【００１２】
アプリケーション・プログラムは、移動性管理情報に応じて、ユーザ機器にサービスを提供することができるように構成されている。例えば、アプリケーション・プログラムは、二人のユーザの間での通信セッションを提供することができる。アプリケーション・プログラムは、ユーザ機器の通信の現状に応じて、ユーザに異なるタイプの通信メディアを提供することができるように構成されている。例えば、ユーザ機器が無線構内通信網（Ｗ−ＬＡＮ）につながれている場合、それにより比較的広い回線容量を使用することが可能であり、それは、ビデオ通信セッションを支援するのに十分なものである。しかしながら、ユーザ機器のうちの一つが、使用可能なサービスの質の低下を経験しなくてはならない場合、この低下は、アクセス・ネットワーク評価報告の受信を通じて、移動性管理器によって検知されるものであり、該評価報告は、通信条件の現状の指示を提供することが可能であり、使用可能なサービスの質を含むこの例にしたがったものである。アプリケーション・プログラムは、通信セッションを提供するものであり、該セッションは、移動性管理情報のために移動性サーバに加入したものであるが、該アプリケーション・プログラムは、移動性管理情報の一環として、通信条件の変更の報告を受信することになっている。したがって、アプリケーション・プログラムは、ユーザに提供されたメディア・サービスのタイプを、通信条件の変更にしたがって適合させることができる。
【００１３】
本発明の実施例において、その移動性サーバへの加入とその移動性管理情報の通知は、セッション・プロトコル・サーバ（Ｓ−ＣＳＣＦ）を通して行われる。その通知と、その加入とをセッション・プロトコル・サーバ（Ｓ−ＣＳＣＦ）を介して伝達する利点は、その移動性管理情報を用いるそのアプリケーション・プログラムがそのようなユーザに与えるサービスの価値を、セッション・プロトコル・サーバで与えられる便宜を用いて、高めることができるということである。本発明のある実施態様にしたがって、移動性サーバへの加入ならびに移動性管理情報の報告は、セッション・プロトコル・サーバ（Ｓ−ＣＳＣＦ）を通じて提供される。セッション・プロトコル・サーバを介して報告と加入とを伝達する利点は、移動性管理情報を用いるアプリケーション・プログラムによって、セッション・プロトコル・サーバによって提供される手段をユーザに提供されるサービスの価値を向上させるのに用いることが可能であるということである。このような手段の一例としては、移動性管理情報の報告、または移動性サーバの加入が確かになされたときに、補助的機能またはサービスが提供されることが考えられる。例えば、アプリケーションまたは移動性管理器のいずれかから提供されるサービスの更に正確な課金を行うために、これを用いることもできる。
【００１４】
ある実施例においては、移動性管理情報にしたがってサービスを提供するのに、コール制御信号データを介してセッション・プロトコル・サーバから受信した、メッセージに応じてアプリケーション・プログラムを操作することが可能である。このような実施例によれば、移動性情報は、セッション・プロトコル・サーバを介して受信されるものであり、それゆえ、該セッション・プロトコル・サーバは、他のサービスを展開する通信セッションの価値を高める手段を提供する。しかしながら、他の実施態様において移動性サーバは、ＸＭＬやＨＴＴＰのような独自のインターフェースを介して、移動性管理情報をアプリケーション・プログラムに伝達することができる。
【００１５】
ある実施例において、報告と加入の信号は、セッション開始プロトコル（ＳＩＰ）を用いることによって送信されるものであり、これにおいてはセッション・プロトコル・サーバは、ＳＩＰサーバである。これらの実施態様にしたがって、移動性サーバのアプリケーション・プログラマーのインターフェースは、ＳＩＰインターフェースを介してコール制御信号データと交信するように操作することが可能であり、この場合のコール制御信号は、ＳＩＰデータである。
【００１６】
本発明のある実施例にしたがって、移動性サーバは、加入情報データベースにアクセスできるものであり、該データベースは、ＩＭＳネットワークの一環を形成するものである（ＩＭＳネットワーク内の加入者情報データベースは、ホーム加入サーバ（ＨＳＳ）と呼ばれる）。このように、移動性管理器は生成された移動性管理情報の精度と価値を向上させるためにデータベース内に記憶されている情報に移動性関連情報を用いることができる。例えば、ユーザ・プロフィール・データは、通信に使用可能なユーザ機器の性能を示すものを有していてもよく、それより、より有効性の高い移動性管理情報が生成され、アプリケーション・プログラムに提供される。例えば、ユーザ機器がビデオ情報を表示することができない場合、通信条件の現状によって提供されるサービスの質がビデオ通信を支援することが可能であれば、移動性管理器は、ユーザ機器にサービスの変更を指示しない。他の実施例においては、ユーザ・プロフィール・データは、稼働状態を示すものを有していてもよく、それにより、その移動性管理器は、たとえまだ要求されていなくても、移動性を監視してよい。
【００１７】
本発明の態様によれば、移動性管理情報に応じてユーザ機器にサービスを提供する通信システムが提供されている。システムは、ユーザ・プロフィール・データにしたがった少なくとも一つのユーザ機器のための通信セッションの現状を制御することが可能な、セッション・プロトコル・サーバ（Ｓ−ＣＳＣＦ）と、ユーザ・プロフィール・データをセッション・プロトコル・サーバ（Ｓ−ＣＳＣＦ）に提供する加入者情報データベース（ＨＳＳ）と、移動性サーバとを有している。移動性サーバは、ユーザ機器と交信するための現状の条件の指示の少なくとも一つを提供する移動性依存評価報告と、ユーザ機器の相対的位置の指示を受信し、そして評価報告に基づいて移動性管理情報の生成の操作が可能な移動性管理器を有している。移動性サーバはまた、移動性管理器とセッション・プロトコル・サーバ（Ｓ−ＣＳＣＦ）との間のコール制御信号データの交信を操作することが可能な、アプリケーション・プログラマーのインターフェースを有している。移動性管理器は、アプリケーション・プログラムから得られる情報のための加入に応じた、移動性管理情報のユーザ機器にサービスを提供するアプリケーション・プログラムの報告を操作することができるようになっており、加入は、コール制御信号データを用いることによってセッション・プロトコル・サーバ（Ｓ−ＣＳＣＦ）を介して提供される。
【００１８】
ある実施態様においては、加入者情報データベースにアクセスができるよう、そして評価報告となるデータを提供するユーザ機器からインターネット・パケットを受信し、そして移動性管理器に評価報告を提供することができるように、アプリケーション・プログラマーのインターフェースを操作することが可能である。したがって、通信システムは、標準化されたコンポーネントを再使用するシステムの一部として移動性管理を統合する、インターネット・プロトコル・マルチメディア・サブシステムとなる。
【００１９】
本発明の更に様々な態様と特徴とは、添付の請求の範囲に規定されている。
【００２０】
図面の簡略な説明
本発明の実施例を、例としては添付図面のみを参照しつつ、これから説明していく。図面では同様の部分には、対応する参照番号が付されている。
図１は、移動性のユーザ機器と対応するノードとの間の一般的なインターネット・プロトコル（ＩＰ）を簡略化して示した概略的なブロック図である。
図２は、独立型のＩＰ移動性管理器とインターネット・プロトコル・マルチメディア・サブシステム（ＩＭＳ）からなるシステムの一部を構成するコンポーネントを簡略化して示した概略的なブロック図である。
図３は、図２に示されたシステムの部分を更に詳細に示したブロック図である。
図４は、本発明の実施例にしたがった、移動性サーバをＩＭＳと統合するためのシステムの一部を示した概略的なブロック図である。
図５は、図２に示された簡略化されたシステムに対応する実施態様にしたがった、システムの概略的なブロック図である。
図６は、本発明の実施例にしたがった移動性サーバの実施例を提供する、概略的なブロック図である。
図７は、アプリケーション・プログラムから提供されるマルチメディア通信サービスを展開するユーザ機器の操作を示したフローチャートの一例であり、アプリケーション・プログラムは、移動性管理情報のために移動性サーバに加入している。
図８は、アプリケーション・プログラムに移動性管理情報を提供する移動性サーバの操作を示したフローチャートの一例である。
図９は、図７と８のフローチャートにおいて、移動性管理器とＳ−ＣＳＣＦとが取りうる他の手順を示したフローチャートである。
図１０は、ホーム加入者サーバから移動性サーバへ情報を引き出す過程を示したフローチャートの一例である。
【００２１】
実施例の説明
本発明の実施例においては、インターネット・プロトコル・マルチメディア・サブシステム（ＩＭＳ）ネットワークの内部にインターネット・プロトコル（ＩＰ）移動性管理サービスを得ることが可能である。サブシステム内部の移動性管理器から、例えば、ユーザ機器が異種のアクセス・ネットワーク（例えば複数の異なるワイヤレス・アクセス・ネットワーク間での）を渡って巡回している間にもサービスの継続性を維持するような、移動性管理機能が得られる。移動性管理サービスは、正しい解決法を用いることなく、ＩＭＳのために標準化された、確立されたインターフェースとプロトコルとを再使用することによって得られる。ネットワークの事業者は、携帯機器の加入者に、実質的にシームレスな移動性によって品質を向上させたＩＭＳサービスを提供することが可能である。
【００２２】
一般的には、ユーザ機器ＵＥとそれに対応するノードＣＮとの間の交信は図１に示されている通りのものである。図１においては、ＩＰパケットを介しての通信は、ユーザ機器ＵＥの移動アクセス・ネットワークＡＮとホーム・ネットワークＨＮとを介して、ユーザ機器ＵＥとそれに対応するノードＣＮとの間で行われる。パケットは、ユーザ機器ＵＥとルーター２、４の間で経路に沿って導かれ、該ルーターのうちの一つである４が、ホーム・ネットワークＨＮにおいて、ホーム・エージェントＨＡになってもいい。
【００２３】
ユーザ機器ＵＥの操作は携帯機器の加入者によって行われてもよく、そしてその結果、ＩＰパケットは、モバイル・アクセス・ネットワークを介してルーター２と交信することになる。ワイヤレス・アクセス・ネットワークは、複数のワイヤレス・アクセス・インターフェースを有していてもよく、該インターフェースを通じて、ユーザ機器はＩＰパケットを伝達する。ワイヤレス・アクセス・インターフェースの例として、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｅｎｅｒａｌ  Ｐａｃｋｅｔ  Ｒａｄｉｏ  Ｓｙｓｔｅｍ（ＧＰＲＳ）、またはワイヤレス・ローカルエリア・ネットワーク（ＷＬＡＮ）などが含まれる。ユーザ機器ＵＥの地理的位置によっては、ワイヤレス・アクセス・インターフェースＷＬＡＮ、ＧＰＲＳ、ＵＭＴＳのうちの一つまたは複数が、ユーザ機器ＵＥにおいて有効である可能性もある。したがって、ユーザ機器ＵＥは、希望するサービスを支援するために十分な通信回線容量を供給するような、ユーザの希望のサービスを支援する、最適なワイヤレス・アクセス・インターフェースを選択することができる。他の選択肢として、ワイヤレス・アクセス・ネットワークは、最も費用効率のよいＩＰデータ・パケット通信を提供するように選択されてもよい。
【００２４】
上記の内容からわかるように、ユーザ機器ＵＥによって使用されているワイヤレス・アクセス・インターフェースは、一つの地域から他の地域に移るにつれて、そして時間が経過するにつれて変化してもよい。したがって、アプリケーション・プログラムに、移動性ユーザ機器と交信するための現状の条件および／または移動性ユーザ機器の地理的位置を報告するための準備がなされる。その結果、アプリケーション・プログラムは、一つのアクセス・ネットワークから他のネットワークへの連携の変更の結果としての通信条件または地理的位置の変化にしたがって、提供されたサービスをユーザ機器に適合させてもよい。
【００２５】
ＩＰＭＭとＩＭＳ
同時に出願された欧州特許出願第０２２９３２７６．８号に開示されているように、ＩＰ移動性管理器（ＩＰＭＭ）は、携帯端末に、通信の現状条件にしたがって、一つのアクセス・ネットワークから他のアクセス・ネットワークへと連携を変更する指示を与えるように構成されている。通信条件の現状は、目標のワイヤレス・アクセス・ネットワークへのハンドオーバーの結果として変更してもよい。ＩＰＭＭは、携帯端末にサービスを提供するアプリケーション・プログラムに移動性管理情報を提供するように構成されている。移動性管理情報は、連携の変更から生じる、または、生じるであろう通信条件の現状の指示を有するアプリケーション・プログラムを提供する。変更に反応して、アプリケーション・プログラムは、携帯端末に、現在のアクセス・ネットワークから目指すアクセス・ネットワークへの連携の変更が生じる前または後に、提供されるサービスを適合させる指示を与えることがある。このため、アプリケーション・サーバとモバイル・アクセス・ネットワークの中核ネットワーク部に位置するＩＰ移動性管理器との間の通信プロトコルが開示されている。通信プロトコルは、使用可能なアクセス・ネットワークでの通信の現状を監視し、そして、目標のアクセス・ネットワークの通信条件にしたがって、提供されたサービスを移動性ユーザ機器に適合させる指示を与えることによって、現在のアクセス・ネットワークから目標のアクセス・ネットワークへの連携の変更のためのハンドオーバー要求に対応するように構成されている。一般的に、インターネット・プロトコル・マルチメディア・サブシステム（ＩＭＳ）に応用されることが考えられるような通信ネットワークの一例が図２に示されている。
【００２６】
図２に示されているように、ユーザ機器ＵＥは、ユーザ機器ＵＥの第一のホーム・ネットワークＨＮ−ＵＥから対応するノードの第二のホーム・ネットワークＨＮ-ＣＮへのインターネット・プロトコル（ＩＰ）パケットを用いた対応するノードＣＮと交信している。簡略化されたブロック図に示されているように、信号情報を提供するＩＰパケットは、実施例ではＩＭＳネットワークにおけるＳｅｒｖｉｎｇ  Ｃａｌｌ  Ｓｔａｔｅ  Ｃｏｎｔｒｏｌ  Ｆｕｎｃｔｉｏｎ（Ｓ−ＣＳＣＦ）にあたる、セッション・プロトコル・サーバ１０に伝達される。ＩＰパケットは、矢印１２で示されるように、信号データを運ぶのに用いられる。後述されるように、ＩＰパケットは、メッセージをＩＭＳに、そして対応するノードＣＮに信号として伝えるセッション開始プロトコル（ＳＩＰ）を運んでいる。ユーザ機器ＵＥと対応するノードＣＮとの間で交信されるユーザ・データは、二股の矢印１４で示されている。それゆえ、図２のブロック図が、図１に示された対応するノードＣＮとユーザ機器ＵＥとの間のＩＰパケット通信を表していることが評価される。第一のホーム・ネットワークＨＮ-ＵＥと第二のホーム・ネットワークＨＮ-ＣＮとの間の点線１６は、中核ネットワーク部のルーターを経由しての信号ＩＰパケットの通信を表している。
【００２７】
様々なサービスおよび／またはその他の機能を与えるために、対応するノードＣＮにおいてもまた、ユーザ機器ＵＥから伝達されたＳＩＰメッセージに応答するために、Ｓｅｒｖｉｎｇ  Ｃａｌｌ  Ｓｔａｔｅ  Ｃｏｎｔｒｏｌ  Ｆｕｎｃｔｉｏｎ（Ｓ−ＣＳＣＦ）２０が与えられる。これらの機能は、通信セッションの状態を制御することによって関連づけられてもよい。
【００２８】
図２に示されているように、ＩＭＳは、Ｓ−ＣＳＣＦ１０と、ＳＩＰアプリケーション・サーバ２２と、実施例においてはホーム加入者サーバ（ＨＳＳ）である加入者情報データベース２４を有しており、それらはすべて、インターフェース２６、２８、３０と共に、標準化したコンポーネント〔１〕である。そのようなインターフェースは具体化された標準〔１〕に合わせて作動し、Ｓｈ、ＩＳＣそしてＣｘの名称で参照される。
【００２９】
ＩＭＳは、ユーザ機器ＵＥと対応するノードＣＮとの間でそうであるように、マルチメディア通信セッションの管理を容易なものにする。通信セッションは、ＳＩＰアプリケーション・サーバ２２で操作するアプリケーション・プログラムで管理されてもよく、該アプリケーション・プログラムは、ＳＩＰメッセージに応答し、マルチメディア通信セッションを制御そして管理するように構成されている。
【００３０】
図２でもみられるように、第一のホーム・ネットワークＨＮ-ＵＥの内には移動性管理器３２が存在する。移動性管理器３２は、同時に出願された欧州特許出願第０２２９３２７６．８号に開示されているように、データを伝達するための条件の変更により、サービス・タイプの変更が要求されていることを、ユーザにサービスを提供するアプリケーション・プログラムに通知する操作をする。通信条件の変更は、移動性ユーザ機器ＵＥの一つの無線インターフェースから他のものへの変更の結果として生じることも、または、使用される無線インターフェースのうちの一つにおける条件の変更の結果、生じることもある。ＩＰＭＭは、ユーザ機器ＵＥおよび／または対応するノードＣＮが、通信セッションの一環として実行されているアプリケーションに、セッションの間に提供されるサービスのタイプを、通信条件の変更を反映するように適合させる指示を与える。図２に示されているように、移動性管理器３２とアプリケーション・サーバ２２との間の交信は、ＳＩＰメッセージが交換されるインターフェース３４を介して行われる。しかしながら、図３を参照しつつ以下に説明していくように、図２と３に示した構成には幾つかの欠点がある。これらの欠点が説明されていくにしたがい、本発明の実施例によって提供される、図２と３に示した構成では得られない便宜と利点が評価されることとなる。
【００３１】
図３は、図２に示されるＩＭＳの一部を、同様に図２に示されるＩＰ移動性管理システムの一部と共により詳細に示しており、ＩＰ移動性管理器がＩＭＳと共に、どのように操作されるかを図示したものである。図３に示されているように、移動性管理器３２は、ＳＩＰメッセージをインターフェース３４を介してインターフェース・プロセッサー３２．１で伝達できるように構成されている。移動性管理器３２はまた、加入者コンテキスト登録器（ＳＣＲ）３２．３および方針実施器（ＰＥ）３２．４も有するものである。移動性管理器３２はまた、ホーム・エージェント３２．２とアクセス・ゲートウェイ・インターフェース３２．５も有している。ホーム・エージェント３２．２とアクセス・ゲートウェイ・インターフェース３２．５は、アクセス・ゲートウェイ３６を介したＳＩＰユーザ・エージェントを実行しているユーザ機器ＵＥへの通信を容易なものにする。ユーザ機器ＵＥはまた、アクセス・ネットワーク評価（ＡＮＥ）報告を生成するＩＰ移動性機能３９も実行している。ＡＮＥ報告は、ユーザ機器にとって使用可能となりうる多くのワイヤレス・アクセス・ネットワークのいずれかを介して通信条件の現状の表示を提供するものである。それゆえ、二股の矢印４０に示されるようにユーザ機器ＵＥは、移動性管理器３２がマルチメディア・アプリケーションにサービスの変更が必要であるか判断できるように、ＡＮＥ報告を移動性管理器３２に伝達する。図３に示されているように、Ｓ−ＣＳＣＦ１０はまた、アプリケーション・プログラムがさまざまなサービスの提供をするきっかけとなる開始フィルター基準１０．１も有している。ＳＩＰアプリケーション・サーバ２２は、ＳＩＰイベント・モデル・アプリケーション・プログラマーのインターフェース２２．１を有している。
【００３２】
ＩＭＳ標準にしたがい、ホーム加入者サーバ（ＨＳＳ）２４は、データベース２４．１と、ユーザ・プロフィール・データを保存するのに用いられる部分２４．２と、ユーザのための移動性関連情報の保存に用いられる部分２４．３を有している。ＨＳＳはまた、Ｓｈアプリケーション・プログラマーのインターフェース２４．４とＣｘアプリケーション・プログラマーのインターフェース２４．５を有しており、それぞれのＳｈインターフェースとＣｘインターフェースを介した通信を容易なものとしている。
【００３３】
ＨＳＳデータベースは、ＨＳＳには不透明なデータが保存される部分２４．２を有する。不透明なデータを保存する部分２４．２は、ユーザ・プロフィール・データを有しており、該データは、例えば、Ｓ−ＣＳＣＦによって使用される開始フィルターの基準を提供するものである。ＨＳＳデータベースはまた、ＨＳＳにとって透明なデータを保存する部分２４．３も有している。この透明なデータは、移動性管理器や他のアプリケーション・プログラムによって使用される移動性関連情報を有している。移動性関連情報は、ユーザ機器におけるＵＥ容量、ハードウェア機能や他のユーティリティーの観点で、マルチメディア・サービスの支援に何が使用可能であるかの表示を有していてもよい。
【００３４】
独立型のＩＰＭＭをＩＭＳと共に使うことの不都合
ＩＭＳは、ネットワークから独立し、様々なアクセス・ネットワークとの相互運用性をもたらすように設計されている。このことは、ＩＭＳ加入者が、ＩＰパケットが、アクセス・ネットワークを介してＩＭＳに伝達されるアクセス・ネットワークから独立してＩＭＳを基礎とするサービスへのアクセスを行えなければならないことを意味する。しかしながら、同レベルの資源を提供しない（ＷＬＡＮ、ＧＰＲＳ、ＵＭＴＳのような）異質のアクセス・ネットワーク技術をローミングする際に、現在のＩＭＳはサービスを継続することを許可しない。ＩＭＳの欠点は、それが現在、アクセス・ネットワーク間の移動性問題の解決法、つまりは、端末が、送信および受信の能力を維持した状態で、複数のネットワーク間を移動する方法を提供できていない点にある。
【００３５】
ＩＰ移動性管理器は、ネットワークの事業者にその管理下にある端末を提供できる能力、つまり、異質なアクセス・ネットワーク技術をローミングすることで、アクセス・ネットワークから他のアクセス・ネットワークへの変更の前にアクセス・ネットワークの容量に端末を適合させるサービスをもたらす。ＩＰＭＭは、シームレスな移動性を提供するものであり、それは、エンド・ユーザやアプリケーションがそのような変化によって不通になったりしない活発な通信セッションを維持した状態で、端末がアクセス・ネットワーク間を移動するということである。単純なＩＰＭＭサービスの欠点は、それが現在正しい枠組みを提供しており、そして複数のサービスの統合ができないことである。
【００３６】
図２および３に示されているように、ＩＰ移動性管理機能をＩＰマルチメディア・サブシステム（ＩＭＳ）内部において使用することが妥当である。図示されているように、これは、事業者のネットワーク内に独立型ＩＰ移動性管理構成のコンポーネントを位置することを必要とする。このような独立アーキテクチャーの欠点は、図２および３に示されているように、提供されるサービスを向上させるように、ＩＭＳ機能と移動性管理器の機能とのいかなる統合も容易にしないということである。実証として、図２および３においては、ＨＳＳと加入者コンテキスト登録器（ＳＣＲ）との間にインターフェースはなく、Ｓ−ＣＳＣＦと移動性管理器との間にもインターフェースはない。このことは、以下の影響をもたらす：
・このような制御を行うインターフェースはないため、事業者は、Ｓ−ＣＳＣＦを介して、移動性管理サービスにおいていかなる中央制御をも有さない。Ｓ−ＣＳＣＦは、ＩＰＭＭサービスを使用するために回避、つまり、ＩＰＭＭサービスはＩＰマルチメディア・サブシステム（ＩＭＳ）とは独立して提供される。このようなアーキテクチャーの欠点は、このようにＩＰＭＭサービスをＩＭＳ加入者に提供するには、二つのシステムをそれぞれ独立して管理しなければならないということである。
・ＩＰＭＭサービスの加入者に関する情報を保存する、ローカルＩＰＭＭデータベースは、セントラル・オペレーター・データベースであるＨＳＳと同調していない。その結果、ユーザの加入に関するデータとサービス関連の情報は、二つのデータベース、つまり、グローバル・ユーザ・プロフィールを保存するＨＳＳと、ＩＰＭＭサービスに関連するユーザ・データを保存するローカルＩＰＭＭデータベースとに分けられる。このタイプのアーキテクチャーの欠点は、事業者が、一つではなく二つのデータベースを管理しなくてはならないということである。
・ＩＰＭＭ加入者に関する移動性情報の受信に同意することができるように移動性管理器に接続するための、使用可能なアプリケーション・サーバに提供される、標準的なアクセス・アーキテクチャーは存在しない。
・それどころか、このような行動がとられるには、それぞれのアプリケーション・サーバが移動性管理器に対して独自の接続をしなければならない。このようなアプローチの欠点は、アクセス・インターフェースを通じて、すべてのアプリケーション・サーバが標準的インターフェース有し、ＩＰマルチメディア・サブシステムを通じて移動性管理器に接続する、普遍的な統一方法がないことである。
・現在のところ、特定の加入者のための移動性情報を、「認証を受けていない」ＩＰネットワークで操作する、第三者のアプリケーションとシェアされる安全性保存メカニズムは移動性管理器に実行されていない。
【００３７】
ＩＰ移動性管理器のコンポーネントを独立型の標準機能として、事業者のネットワークの内部に統合することは、サービス向上を提供するために最適な枠組みを実現することにはならない。またこれは、例えば、ユーザ関連情報が二つのデータベースに分割され、ＩＰＭＭとＩＭＳを全体として組み合わせる中央からのプロビジョニングが不可能であるように、ネットワークを更に複雑にすることになる。一つの解決方法として、移動性管理器とＳ−ＣＳＣＦの間に、そして移動性管理器とＨＳＳの間に、新しいインターフェースを追加することが考えられる。このことは、データベースを同調させること、そしてサービスにおけるＳ−ＣＳＣＦからの制御を増大させることを可能にするものである。しかし、その反面、ＨＳＳとＳ−ＣＳＣＦにおける独自のインターフェースの追加は、アーキテクチャーの変更、ネットワーク構成の向上、異なるＩＭＳ販売業者間での相互運用性の問題点が生じる。
【００３８】
移動性サーバで増強されたＩＭＳ
本発明の実施態様においては、機能としてＩＭＳネットワークの内にＩＰ移動性管理サービスを提供する移動性管理器を組み込むことができる。独自の解決法が不要となるように、確立されたインターフェースとプロトコルとをできる限り再使用し、それにより、複数の異質なアクセス・ネットワーク技術の間をローミングする間にも、サービスの継続性を維持する。これをなしとげるためには、なによりもまず、その機能を向上させ、標準化されたインターフェースを使用することによって、ＩＭＳアーキテクチャーにおける移動性サーバとしての役割を果たす、ＩＰ移動性管理器を提案する。
【００３９】
本発明の一つの実施例が図４に示されている。図４に示されているように、移動性サーバ１３２は、ＨＳＳ１２４とＳ−ＣＳＣＦ１００へのインターフェースを有している。図４に示されている部分は図３に示されている部分に対応しており、関連する参照番号を付されている。しかしながら、図４は移動性サーバ１３２を示しており、該サーバは、ＩＭＳアーキテクチャーの使用において、ユーザ機器によって確認される現状の通信条件にしたがって、マルチメディア・セッションの制御を行うための移動性管理情報を提供するものである。前述したのと同様に、移動性サーバ１３２は、ユーザ機器ＵＥの一環として操作するＩＰＭＭ機能１３９からのアクセス・ネットワーク評価報告を、ＩＰ通信層１４０を介して受信するように構成されている。移動性サーバ１３２は、Ｓｈインターフェース１６０であるＨＳＳ１２４へのインターフェースを有している。移動性サーバ１３２はまた、Ｓ−ＣＳＣＦへのＩＳＣインターフェース１８０を有している。他のところでは、図４に示されているＩＭＳシステムにおける要素は、図３に示されている要素と対応しているが、それは、図４に示されているシステムで得られる利点は、そのような要素の間で標準化されたネットワーク要素とインターフェースを再使用し、図４に示されているシステムが既存のＩＭＳネットワーク・アーキテクチャーと互換性をもてるようにするためである。
【００４０】
ある実施態様においては、移動性サーバ１３２とアプリケーション・サーバ１２２との間にインターフェースが提供されており、それは、移動性サーバ１３２とアプリケーション・サーバ１２２との間で直接、情報の伝達をするのに使用することができる。インターフェースは、例えば、ＳＩＰ、ＸＭＬまたはＨＴＴＰ基準にしたがって情報を運ぶことができる。
【００４１】
図４に提案されているアーキテクチャーは、移動性サーバ１３２を、ＩＭＳに統合し、その一方で、既存のＩＭＳ構成要素への追加のインターフェースや関連する展開が最小限になるようにするものである。それゆえ、統合はハードウェアからは実質的に独立したものであり、どのような販売者の機器においても作動することになる。ＩＰ移動管理サービスを、ＩＭＳを作動させるものとして配備しても、必要な仕事が増えることにも、ＩＭＳ内で新しいサービスを現在展開するよりも多くの投資が必要になることにもならない。
【００４２】
ＩＰＭＭをＩＭＳ内に統合することにより、以下のようなＩＭＳメカニズムの幾つかを再使用することができるようになる：
・サービス提供手順；ＨＳＳである共通のデータベースからのサービスを提供を容易なものにし、移動管理器内でアプリケーション用のＳｈインターフェースを用いて行う、移動性サーバの、ＨＳＳから加入者コンテキスト登録器（ＳＣＲ）へのデータのダウンロードのメカニズムを可能にする。
・第三者の登録（抹消）；Ｓ−ＣＳＣＦの、移動性サーバの制御と、移動性サーバに、ＩＭＳに登録されたばかりのユーザの、移動性情報の収集の開始または停止の通告とを可能にする。
・課金方法；転送されたデータ通信量に基づくものだけでなく、事象やセッションにも基づくものの請求も可能にする。
・アプリケーション・サーバ・アクセス；アプリケーション・サーバがＳ−ＣＳＣＦを介して移動性サーバへ働きかけ、標準的なアクセス・アーキテクチャーを可能にする。このことは、いかなるアプリケーション・サーバにも、移動性サーバからの、そして移動性サーバへの情報にアクセスする一つの統一された方法を可能なものにする。
・安全性保存のメカニズム；サービスが「認証を受けていない」ネットワークで操作することになった場合に規定されるものであり、移動性サーバが第三者のアプリケーションに安全な方法で移動性情報を提供することを可能にする。
【００４３】
ＩＭＳは、ＳＩＰを主体とする向上されているサービス・アーキテクチャーであり、該アーキテクチャは、実時間とデータ・サービスを組み合わせた、アプリケーションの開発の向上の枠組みを提供するものである。ＩＭＳはまた、ＩＥＴＦサービスでは提供されない、一層の課金やサービスの質の向上も提供する。本発明の実施例は、ネットワークで制御された移動性管理を行う際にＩＰＭＭと、進歩した柔軟なセッション制御アーキテクチャーをもたらす上でのＩＭＳとの両方の利点を兼ね備えることのできるものである。このことは、事業者に円滑なネットワーク制御のハンドオーバー（シームレスな移動性）とアプリケーションのネットワークのタイプへの適合を提供する、向上された高品質のービスの提供を可能にし、ＩＭＳ内部のアプリケーションとサービスが向上される。これにより、事業者は、単なるＩＰＭＭサービスをその顧客に提供しただけの場合と比較して、更に最適化され、統合され、そして管理が容易になった枠組みが得られることになる。
【００４４】
ＩＭＳネットワーク要素の簡略な説明
完璧を期すために、本発明の実施例にしたがって、ＩＭＳネットワークの要素を簡略に説明する。
【００４５】
Ｓ−ＣＳＣＦ（Ｓｅｒｖｉｎｇ  ＣＳＣＦ）
サービングを行うＣＳＣＦは、３ＧＰＰの仕様書［１］、［４］において説明されている三つのＣａｌｌ  Ｓｔａｔｅ  Ｃｏｎｔｒｏｌ  Ｆｕｎｃｔｉｏｎ（ＣＳＣＦ）の一つである。［４］にしたがえば、サービングを行うＣＳＣＦ（Ｓ−ＣＳＣＦ）によるセッション制御サービスは、ユーザ機器ＵＥのために行われる。それはまた、「サービスを支援するために、ネットワーク事業者の必要に応じてセッションの状態を」維持したりもする。
【００４６】
同一の事業者のネットワーク内において、異なるＳ−ＣＳＣＦにはそれぞれ異なる機能性を有する。このような想定においては、選択されたＳ−ＣＳＣＦが必要とされる全ての機能性を担っていると仮定する。セッションの最中には、Ｓ−ＣＳＣＦは登録器〔９〕、プロキシ・サーバ〔９〕、ユーザ・エージェント〔９〕として振舞うことがあり、サービスの支援のためにサービス・プラットホームと相互に作用をすることもある。
【００４７】
ＨＳＳ（ホーム加入者サーバ）
ホーム加入者は、事業者のネットワークのマスター・データベースを表している。保存された情報の中に、ＨＳＳは、加入者に関する情報とネットワークそのものに関する情報とを保存している。ＨＳＳは、（サービス供給、登録、コール準備、コール再検討、コール解除などの）様々な手順や、（更新、問い合わせなどの）様々な目的のために行う場合に、様々なネットワーク要素からアクセスされる。ＩＭＳアーキテクチャー内においては、Ｃｘ、Ｄｘ〔６〕またはＳｈインターフェース〔３〕を用いて、ＨＳＳにアクセスするために、ＤＩＡＭＥＴＥＲプロトコル〔７〕、〔８〕が選択される。
【００４８】
ＳＩＰアプリケーション・サーバ
ＳＩＰアプリケーション・サーバは、サービス・プラットホームとして、つまり、サービスを展開、実行する環境として取られなければならない。コール制御がＳ−ＣＳＣＦの層で行われるのに対し、該サーバにおいて、サービス（またはアプリケーション）が実行される。本文献で考慮されるＳＩＰアプリケーション・サーバは、まだ標準化途上であり、ＳＩＰインターフェースに非常に近い、ＩＳＣインターフェースを支えるなどのような、３ＧＰＰの要求の幾つかを満たさなければならない。
【００４９】
アクセス・ゲートウェイ
アクセス・ゲートウェイは、一つのアクセス・ネットワークを表す論理的な構成要素である。アクセス・ゲートウェイを通過するすべてのユーザ・データは、任意のアクセス・ネットワークでローミングをするエンド・ユーザに〜方というアドレス（ＣｏＡ：Ｃａｒｅ−ｏｆ−Ａｄｄｒｅｓｓ）を配分する責任を負っている。
【００５０】
移動性サーバ
移動性サーバは、新しい機能で向上されたＩＰルーターを基礎とするものである。移動性サーバは、移動性管理器だけでなく、方針実施器（ＰＥ）と加入者コンテキスト登録器（ＳＣＲ）の機能的構成要素を有している。
移動性サーバはまた、ホーム・エージェントも実行する。それはＳｈおよびＩＳＣインターフェースで向上されている。ＳＣＲは、ＨＳＳからダウンロードされた移動性関連情報と、例えばユーザ機器から受信したアクセス・ネットワーク評価報告を提供するためのデータベースである。ＰＥは、一つのネットワークから他のネットワークへの受渡しを、確立された条件に基づいて実行するための方針を実施するものである。このような条件は、ネットワークの方針を実施することも、また、ネットワークの事業者によって規定されることも、あるいは部分的にユーザの好みによって特定されることもある。
【００５１】
上記に説明した本発明による実施例は、テレビ会議のマルチメディア通信セッションの一例として図解されている。しかしながら、これは一例の応用に過ぎないことが後でわかることになる。他の例においては、ユーザ機器とアプリケーション・サーバとの間のデータ通信は実質的にはないかもしれないが、アプリケーション・プログラムが移動性管理情報に加入し、ユーザ機器専用のアプリケーションを支援しうる。
【００５２】
移動性サーバでのＩＭＳインターフェースの簡略な説明
【００５３】
・（移動性サーバとそのＨＳＳとの間の）Ｓｈインターフェース
Ｓｈインターフェースは、事業者内のインターフェースであり、また、ＤＩＡＭＥＴＥＲプロトコルに基づくものである（ＤＩＡＭＥＴＥＲもまたＨＳＳとＩ／Ｓ−ＣＳＣＦとの間のＣｘインターフェースにおいて用いられている）。（ＨＳＳからアプリケーション・サーバ（ＡＳ）へのデータのダウンロード、ＨＳＳにおけるデータの更新などの）データ取扱手順と加入／通知手順を、Ｓｈインターフェースにおいて行うこともできる（ＨＳＳは、ＡＳにＡＳが前もって加入していたデータにおける変更を通知する）。
Ｓｈインターフェース上の更に多くの情報は、〔２〕および〔３〕においてもみられるものである。
【００５４】
上述のした実施態様にしたがえば、Ｓｈインターフェースは、移動性サーバにより、ＨＳＳと通信するために用いられる。このインターフェースは、ＨＳＳに保存されたユーザ関連情報の転送メカニズムを支援、あるいは、ユーザ・データをＨＳＳに「プッシュ」するために用いられる。
【００５５】
・（移動性サーバとサービングを行うＣＳＣＦとの間の）ＩＳＣインターフェース
ＩＳＣインターフェースは、〔４〕４．２．４に簡略に規定されており、ＩＳＣインターフェースとＳ−ＣＳＣＦとの間の関係は、〔１〕６．２に説明されている。
【００５６】
機能的には、ＩＳＣインターフェースは、Ｓ−ＣＳＣＦと一つまたは複数のサービス・プラットホームとの間にある。サービスを運営するアプリケーション・サーバは、他のネットワーク機器から分離され、標準化の途中にある、（「ＩＳＣインターフェース」という）インターフェースによって、多様な販売者からのアプリケーション・サーバをＩＭＳサブシステムの上部で使用することを可能にする。アプリケーション・サーバ・インターフェースのこのような標準化は、アプリケーション・サービス提供者である第三者が、追加のサービスを提供する可能性を提供するものであり、それにより、事業者は、他の手段では不可能であったサービスを提供できることになる。
【００５７】
技術的には、ＩＳＣインターフェースは、ＳＩＰインターフェースである。それをＳＩＰ標準〔９〕に可能な限り近い状態に保ち、様々なインターフェースにおいてＳ−ＣＳＣＦと共に既に使用されている、一切のＳＩＰの拡張を避けることが望まれる。したがって、ＩＥＴＦアプリケーション・サーバがＩＭＳネットワークと共に相互に作用する方がより望ましい。アプリケーション・サーバは、第三者の登録を支援するように構成され、（ルート・ヘッダーに含まれることになるため争点にすべきではないが）ダイアログ識別器を適切に取り行わなければならず、そして最終的には、加入／通知事象モデルを支援することになることが想定される。
【００５８】
・（移動性サーバとあるアプリケーションとの間の）移動性を意識したインターフェース
【００５９】
移動性を意識したインターフェースにより、移動性サーバと、ＳＩＰアプリケーション・サーバ上で操作するアプリケーションとの間の通信が可能になる。このインターフェースは、ＳＩＰメッセージに封入されることになる、独自仕様のＸＭＬに基づくプロトコルを用いている（加入／通知ＳＩＰ事象モデル）。移動性を意識したインターフェースにより、アプリケーションは関心のある事象を特定の加入者の移動性管理に登録することが可能になる。それによりまた、移動性サーバは、アプリケーション・プログラムに、二つのワイヤレス・アクセス・ネットワークの間でハンドオーバーが行われようとしていることを通知することが可能になる。
【００６０】
・（アクセス・ゲートウェイと移動性サーバとの間の）アクセス・ゲートウェイ・インターフェース
【００６１】
アクセス・ゲートウェイ・インターフェースは、基礎となる様々なアクセス技術からの無線ネットワーク測定値を照合し、ハンドオーバーの決定を行う。
【００６２】
ＩＭＳネットワーク内部の他のインターフェース
【００６３】
（Ｓ−ＣＳＣＦとそのＨＳＳとの間の）Ｃｘインターフェース
【００６４】
Ｃｘインターフェースは、複数のコール状態制御機能の間のインターフェースである（問い合わせとサーバ機能−プロキシＣＳＣＦには、ＨＳＳとのインターフェースがまったくない）。Ｃｘインターフェースは［５］と［６］に説明されている。
【００６５】
・（ＳＩＰユーザ・エージェントとＳ−ＣＳＣＦとの間の）Ｇｍインターフェース
【００６６】
Ｓ−ＣＳＣＦは、Ｇｍインターフェースを介してＵＥとの信号の相互作用を支援する。ワイヤレス・アクセス・ネットワークに応じて、ＵＥとＳ−ＣＳＣＦとの間のネットワーク要素の数は異なる。プロキシコール状態制御機能（Ｐ−ＣＳＣＦ）は、ＩＭＳネットワーク内のエントリー・ポイントを表すことができる。それゆえ、ＵＥとＳ−ＣＳＣＦとの間には、常にＰ−ＣＳＣＦがあることになる。読みやすく、簡略にする目的で、自発的に除去されたネットワーク要素も幾つかある。
【００６７】
実施例
本発明の実施態様にしたがって、移動性サーバ１３２を含む、適合されたＩＭＳアーキテクチャーが図５に示されており、該図は他の点では、図２のユーザ機器ＵＥとそれに対応するノードＣＮとの間の通信のブロック図に対応している。それゆえ、図５は、本発明の実施例にしたがって移動性サーバ１３２を含むように適合させられたマルチメディア通信セッションを提供するためのＩＭＳアーキテクチャーの配列を示している。それゆえ、そのように適合させられたＩＭＳシステムの残された部分は、図２に示されたものと対応するように機能する。ユーザ機器ＵＥのために第一のホーム・ネットワークの一部を形成するＩＭＳサブシステム内のそのような要素は、対応する操作をし、そしてそれゆえ、更なる説明は不要であろう。
【００６８】
図４に示されているように、移動性サーバ１３２は、アプリケーション・プログラマーのインターフェース１３２．６を有しており、それは、移動性管理器が、移動性および／または時間に応じて変化する、移動性依存パラメーターのＳＩＰアプリケーション・サーバ１２２によって実行されるアプリケーション・プログラムを通知することを容易にするためである。
【００６９】
図６は、移動性サーバ１３２の更に詳細に示す図５に示されるＩＭＳアーキテクチャーの、選択的な図解を与えている。図６に示されているように、移動性サーバ１３２は、図４にも示されている部分のみならず、移動性管理器２００も有している。移動性サーバは、ＰＥ１３２．４およびＳＣＲ１３２．３のみならず、ホーム・エージェント１３２．２を有している。ＳＩＰインターフェース１３２．１は、ＳＩＰメッセージで通信するために提供されている。図示されているように、移動性サーバ１３２は、Ｓ−ＣＳＣＦ１００と接続するためのＩＭＳサービス制御（ＩＳＣ）インターフェース１８０、インターフェース１２６を介してＨＳＳ１２４と接続するためのＳｈインターフェース・コントローラー２０４、並びにウエブ・サーバ２０８と接続するためのＨＴＴＰインターフェース・コントローラー２０６を含む様々なインターフェースを介して移動性依存情報へのアクセスを提供するためのアプリケーション・プログラマーのインターフェース１３２．６（太線で囲まれて示された部分）を有している。図６にもまた示されているように、移動性サーバ１３２は、ユーザ機器ＵＥ内においてＩＰＭＭ機能１３９からＩＰパケットを受信するためのアクセス・ネットワーク評価（ＡＮＥ）インターフェース・コントローラー２１０を有しており、それによりユーザ機器ＵＥに使用可能な通信の現状が示されている。移動性サーバ１３２はまた、移動性に合わせて変化する通信条件に左右されうるＥメール・サーバとＥメールのやりとりをするためのＳＭＴＰインターフェース・コントローラー２１２とを有している。
【００７０】
ＩＭＳネットワーク内部の移動性サーバの全体的な操作
上記に説明した実施例にしたがって、ＩＭＳネットワークの一部として統合された移動性サーバを用いたモバイルユーザ機器にマルチメディア・サービスを確立し、提供する過程を、ここで、図７、８および９に示されたフローチャートによって示すことができる。図７に示されたフローチャートは、モバイルユーザ機器が、対応するノードとのＳＩＰメッセージの交換を用いるマルチメディア・サービスを開始する過程に関するものである。このようなマルチメディア・サービスの一例は、テレビ電話会議であり、該会議では、映像情報と音響情報の両方が、モバイルユーザ機器と対応するノードとの間で伝達される必要がある。テレビ会議サービスは、アプリケーション・サーバ１２２において操作するアプリケーション・プログラムによって提供される。しかしながら、ユーザ機器は移動するため、テレビ会議サービスを提供するアプリケーション・プログラムは、移動性管理情報のために移動性サーバ１３２に従う必要が生じることになる。移動性管理情報は、例えば、ユーザ機器に使用可能なワイヤレス・アクセス・インターフェースのタイプに合わせて、モバイルユーザ機器に提供されるサービスのタイプに適合させることに用いてもよい。例えば、モバイルユーザ機器が、ワイヤレス・ローカルエリア・ネットワーク（ＷＬＡＮ）を介して通信が行われる位置にある場合は、比較的高容量の通信回線が使用可能である。このように、アプリケーション・プログラムは、モバイル・ユーザ機器に映像と音響のサービスを提供することができる。しかしながら、ＷＬＡＮ経由の通信は使えないが、ＧＰＲＳアクセス・インターフェースを介した通信が可能な位置にモバイル・ユーザ機器がある場合には、アプリケーション・プログラムが提供できるのは音響サービスだけであり、それゆえ、モバイル・ユーザ機器に提供されるサービスのタイプに応じて適合させることになる。ＷＬＡＮが再び使用可能になれば、移動性管理器は、ＷＬＡＮが提供するこれらの条件に応じて、通信用の条件の状態が変化したことを示す移動性管理情報を直ちに報告することになる。したがって、アプリケーション・プログラムは、ＷＬＡＮによって提供される更に増量された通信回線容量に応じて、映像と音響のサービスを提供するようにサービスを再び適合させる。
【００７１】
アプリケーション・プログラムが移動性管理器に加入するきっかけとなる、マルチメディア通信セッションを確立するための、アプリケーション・プログラムと組み合わされたユーザ機器の操作が、図７に示される。図７に示される過程は、以下のようにまとめられる：
【００７２】
Ｓ２：ユーザ機器ＵＥは、対応するノードがマルチメディア通信セッションに参加するように、対応するノードＣＮにＳＩＰメッセージを送る。上述したように、マルチメディア通信セッションの一例は、ユーザ機器ＵＥと対応するノードＣＮとの間に設けられるマルチメディア会議である。
【００７３】
Ｓ４：ＳＩＰメッセージは、ＩＭＳネットワークの内でユーザ機器ＵＥを補助する、Ｓｅｒｖｉｎｇ−Ｃａｌｌ  Ｓｔａｔｅ  Ｃｏｎｔｒｏｌ  Ｆｕｎｃｔｉｏｎ（Ｓ−ＣＳＣＦ）によって受信される。
【００７４】
Ｓ６：対応するノードへ転送される前に、ユーザが加入したサービスを提供するために、リクエストをアプリケーション・プログラムに転送してよいかを判断するために、Ｓ−ＣＳＣＦは開始フィルター基準を適用する。
【００７５】
Ｓ８：開始フィルター基準を適用することによって、マルチメディア通信サービスを提供するために、Ｓ−ＣＳＣＦは、アプリケーション・サーバ１２２上のアプリケーション・プログラムにＳＩＰメッセージを転送する。
【００７６】
Ｓ１０：アプリケーション・プログラムは加入メッセージを移動性サーバに送信し、ＳＩＰメッセージをアプリケーション・プログラムに転送するＳ−ＣＳＣＦに補助される特定のユーザと関連する移動性管理情報を求めて加入する。
【００７７】
Ｓ１２：たとえ、アプリケーション・プログラムがある特定のユーザのために移動性サーバに由来する移動性管理情報を申し込んでも、加入は許可されない可能性がある。加入は、ユーザが携帯機器のユーザではなく移動性管理情報を必要としていない場合か、または、ユーザは移動通信サービスに加入していない（登録していない）ために、許可されない可能性がある。それゆえ、アプリケーション・プログラムは、移動性サーバから、加入がユーザのための移動性管理器に許可されたかどうかの情報をもらう。
【００７８】
Ｓ１４：移動性管理器によって加入が許可された場合には、アプリケーション・プログラムは、一人または複数人のユーザ用の移動性サーバからの移動性管理情報のためにモニタリングを開始し、提供されるサービスの移動性に依存する面を稼働させる。
【００７９】
アプリケーション・プログラムが一旦、移動性サーバに加入すると、移動性サーバは、図８のフローチャートに示されるように、移動性管理情報をアプリケーション・プログラムに提供することができる。
【００８０】
Ｓ１６：マルチメディア通信セッションを提供するアプリケーション・プログラムが、一旦展開されると、アプリケーション・プログラムは、ＳＩＰメッセージをＳ−ＣＳＣＦに送信する。Ｓ−ＣＳＣＦはつぎに、ＳＩＰメッセージを対応するノードＣＮに送信する。対応するノードＣＮを補助するネットワークにおいて、Ｓ−ＣＳＣＦが関連するアプリケーション・プログラムを展開する可能性もある。
【００８１】
上述したように、マルチメディア通信セッションを提供するアプリケーション・プログラムが一旦移動性サーバに加入すると、移動性サーバはユーザ機器の移動性依存パラメーターをモニタリングし、それらをアプリケーション・サーバに報告する。移動性サーバが、Ｓ−ＣＳＣＦと組み合わされてどのような操作をするかは、図８に図解されている。図８は以下のようにまとめられる：
【００８２】
Ｓ２０：アプリケーション・プログラムが移動性管理情報のために移動性サーバに加入した後は、移動性サーバの内の移動性管理器は、ユーザ機器から移動性依存評価報告を受信するように構成されている。移動性依存評価報告はＩＰパケットとして受信され、通信に使用することが可能な（ＷＬＡＮ、ＵＭＴＳ、ＧＲＰＳ等の）アクセス・ネットワークの現在の種別についての情報を提供するアクセス・ネットワーク評価（ＡＮＥ）報告を有している。他の選択肢として、アクセス・ネットワークが、同様のアクセス・ネットワークのインターフェースを用いた、体験された通信条件の現状に依存する可変通信帯域幅を提供することが可能な場合は、昨今に体験された通信条件の現状は、ＡＮＥ報告によって提供される。更に、万一、モバイルユーザ機器が、一つのインターネット・プロトコル（ＩＰ）ネットワークから他のものに連携を変更することがあれば、ＩＰアドレスの変更が起こることになる。その結果、移動性管理器１３２の一部を形成するホーム・エージェント１３２．２は、ユーザ機器のＩＰアドレスが変更されたことを示すことになる。移動性管理器２００は、アドレス変更を、前もって保存されたＩＰアドレスの一覧表または、ユーザ機器の地理的位置の表示を生成するＩＰアドレスの複数の部分に適用することになる。移動性管理器は、ＵＥと結合したデータベースに、ＡＮＥ報告並びにＩＰアドレスの変更を保存する。
【００８３】
Ｓ２２：移動性管理器は、ＡＮＥ報告とＩＰアドレスの相対的変更を分析し、移動性サーバに加入されたアプリケーション・プログラムと交信するための移動性管理情報を生成する。移動性管理器は、通信用条件に変化があった場合や、またはＩＰアドレスの変更があった場合に、アプリケーション・プログラムに知らせることも可能である。他の選択肢としては、移動性管理器は、現状の通信用条件または現在のＩＰアドレスを定期的にアプリケーション・プログラムに知らせることも可能である。
【００８４】
Ｓ２４：移動性管理器は、アプリケーション・プログラムと交信するためのＳＩＰ通知メッセージに入れる移動性管理情報を生成する。移動性管理器は、ＳＩＰ通知メッセージをＳ−ＣＳＣＦへと伝達する。
【００８５】
Ｓ２６：Ｓ−ＣＳＣＦは、ＳＩＰメッセージをアプリケーション・プログラムへと伝達し、それにより、移動性情報を提供する。
【００８６】
図８のフローチャートは、Ｓ−ＣＳＣＦと組み合わされた移動性サーバが、移動性管理情報を提供する操作を図解している。しかしながら、ある実施例においては、ＩＭＳネットワークの確立された標準化済のアーキテクチャを通じて、ユーザに価値を付加するために更に多くの手順を導入してもよい。そのような追加された手順の一例は図９に示されている。図９に示された過程は以下のようにまとめられる：
【００８７】
Ｓ３０：手順Ｓ１４の後、移動性管理器は、Ｓｈインターフェースを介してＨＳＳから移動性関連情報を検索するように構成されている。
【００８８】
Ｓ３２：移動性関連情報から、移動性管理器は、移動性に関連する情報を引き出し、情報を加入者コール登録器（ＳＣＲ）に保存する。そのような関連性のある情報は、移動マルチメディア・サービスを提供するのに合意された請求料金、機器のタイプと、それゆえユーザ機器が担うことのできるサービスと、モバイルユーザ機器が現在通信中であるかどうか、あるいは、移動性管理器が携帯セッションの稼働中に移動性情報を提供すべきであるかの情報を有する。
【００８９】
Ｓ３４：移動性管理器は、移動性管理情報を、ＳＣＲ内のユーザ関連情報にしたがって適合させる。ユーザ機器で担うことのできるサービスは、アプリケーション・プログラムに提供される移動性管理情報を調整するために用いられることも可能である。
【００９０】
Ｓ３６：任意の選択として、Ｓ−ＣＳＣＦが移動性管理情報を提供するＳＩＰメッセージを受信する場合は、Ｓ−ＣＳＣＦは、一つまたは複数のアプリケーション・プログラムを稼働してもよい。これらのアプリケーション・プログラムは、加入者またはネットワーク事業者に、価値の付加されたサービスを提供してもよい。そのようなサービスには、課金、データ管理そして安全性制御が含まれてもよい。
【００９１】
図１０のフローチャートに示されている、移動性管理器が事業者によって補給を受ける過程に応じて、ユーザがＩＰＭＭサービスのために事業者に加入する。サービス提供中に、ユーザ・プロフィール・データは、移動性関連情報（透明な部分）と共にＨＳＳデータベース（不透明な部分）の中に搭載される。ユーザが、移動性関連情報が必要なサービスをリクエストする場合には、移動性関連情報は、移動性管理器によってＨＳＳからダウンロードされ、移動性管理器が使用するために、ＳＣＲに保存される。図１０に示されているフローチャートは、以下のようにまとめられる：
【００９２】
Ｓ４０：あるユーザがＩＰＭＭサービスに加入すると、それにより、サービスをユーザの移動性に合わせて適合させることができるようになる。事業者は、（開始フィルター基準等の）ユーザ・プロフィール・データと移動性関連情報をＨＳＳデータベースに搭載することによって、ＩＰＭＭサービスが展開されるように補給を行う。点線２５０によって示されているように、ＨＳＳデータベースに情報が一旦搭載されると、移動性管理器が、ＳＣＲの補給または更新をするために、ある特定のユーザのための移動性関連情報を必要とするまでは、補給手順で行われる部分はなくなる。
【００９３】
Ｓ４２：ＩＭＳネットワークによってあるユーザが一旦登録されると、移動性サーバは、Ｓｈインターフェースを介してＨＳＳ上のＳｈＡＰＩと交信して、ＨＳＳに移動性関連情報の問い合わせをすることができる。
ＨＳＳにあるものから、ＳＣＲにおいてユーザのための情報の更新を起動させることは、幾つかの方法で行うことができ、ユーザをＩＭＳネットワークに登録することが一つの例である。ＨＳＳがユーザに関連する移動性関連情報の問い合わせを受けるのは、移動性サーバがユーザがＩＰＭＭサービスに加入したことを知っているためである。
【００９４】
Ｓ４４：問い合わせに続き、移動性サーバは、Ｓｈインターフェースを介してＨＳＳから移動性関連情報を引き出し、情報をＳＣＲに保存し、移動性依存管理情報を提供する際には使えるように準備されている。
【００９５】
本発明の範囲を逸脱しないかぎり、以上に説明した本発明の実施例に様々な変更を加えてもよい。セッション開始プロトコルは、インターネット・プロトコル通信セッションを確立するために使用可能なセッション開始プロトコルの一例であり、そして、本発明は他のそのようなプロトコルで応用できることが理解されるであろう。
【００９６】
本発明の更に多くの様々な様相と特徴が附属する請求の範囲に規定されている。
【００９７】
参照番号
［１］：３ＧＰＰ  ＴＳ  ２３．２１８：ＩＰマルチメディア・セッション取り扱い−ＩＰマルチメディアコールモデル−ステージ２（リリース５）
［２］：３ＧＰＰ  ＴＳ  ２９３２８：ＩＰマルチメディア（ＩＭ）サブシステムＳｈインターフェース；信号の流れとメッセージの内容（リリース５）
［３］：３ＧＰＰ  ＴＳ  ２９３２９：ＩＰマルチメディア（ＩＭ）サブシステム‐Ｄｉａｍｅｔｅｒプロトコルに基づくＳｈインターフェース‐プロトコルの詳細（リリース５）
［４］ＴＳ  ２３．２２８：ＩＰマルチメディア・サブシステム（ＩＭＳ）；ステージ２（リリース５）
［５］ＴＳ  ２９．２２８：ＩＰマルチメディア（ＩＭ）サブシステム  ＣｘとＤｘインターフェース‐信号の流れとメッセージの内容（リリース５）
［６］ＴＳ  ２９．２２９：Ｄｉａｍｅｔｅｒプロトコルに基づくＣｘとＤｘインターフェース‐プロトコルの詳細（リリース５）
［７］ＲＦＣ  ３５８８‐ＩＥＴＦコメントのリクエスト−Ｄｉａｍｅｔｅｒ主体のプロトコル‐２００３年９月
［８］ＲＦＣ  ３５８８‐ＩＥＴＦコメントのリクエスト−第三世代パートナーシップ・プロジェクト（３ＧＰＰ）用のＤｉａｍｅｔｅｒコマンド・コードリリース５‐２００３年９月
［９］ＲＦＣ  ３２６１‐ＩＥＴＦコメントのリクエスト‐セッション開始プロトコル‐２００２年６月
【図面の簡単な説明】
【００９８】
【図１】移動性のユーザ機器と対応するノードとの間の一般的なインターネット・プロトコルを簡略化して示した概略的なブロック図
【図２】独立型のＩＰ移動性管理器とインターネット・プロトコル・マルチメディア・サブシステムからなるシステムの一部を構成するコンポーネントを簡略化して示した概略的なブロック図
【図３】図２に示されたシステムの部分を更に詳細に示したブロック図
【図４】本発明の実施例にしたがった、移動性サーバをＩＭＳと統合するためのシステムの一部を示した概略的なブロック図
【図５】図２に示された簡略化されたシステムに対応する実施態様にしたがった、システムの概略的なブロック図
【図６】本発明の実施例にしたがった移動性サーバの実施例を提供する、概略的なブロック図
【図７】アプリケーション・プログラムから提供されるマルチメディア通信サービスを展開するユーザ機器の操作を示した一例のフローチャート
【図８】アプリケーション・プログラムに移動性管理情報を提供する移動性サーバの操作を示した一例のフローチャート
【図９】図７と８のフローチャートにおいて、移動性管理器とＳ−ＣＳＣＦとが取りうる他の手順を示したフローチャート
【図１０】ホーム加入者サーバから移動性サーバへ情報を引き出す過程を示した一例のフローチャート
【符号の説明】
【００９９】
２  ルーター
４  ルーター
１０  セッション・プロトコル・サーバ（Ｓ−ＣＳＣＦ）
１０．１  開始フィルター基準
１２  矢印
１４  矢印
１６  点線
２０  サービスコールスタートコントロールファンクション
２２  ＳＩＰアプリケーション・サーバ
２２．１  インターフェース
２４  加入者情報データベース
２４  ホーム加入者サーバ（ＨＳＳ）
２４．１  データベース
２４．２  部分
２４．３  部分
２４．４  インターフェース
２４．５  インターフェース
２６  インターフェース
２８  インターフェース
３０  インターフェース
３２  移動性管理器
３２．１  インターフェース・プロセッサー
３２．２  ホーム・エージェント
３２．３  加入者コンテキスト登録器（ＳＣＲ）
３２．４  方針実施器（ＰＥ）
３２．５  アクセス・ゲートウェイ・インターフェース
３４  インターフェース・プロセッサー
３４  インターフェース
３６  アクセス・ゲートウェイ
３９  ＩＰ移動性機能
４０  矢印
１００  Ｓ−ＣＳＣＦ
１２２  アプリケーション・サーバ
１２４  ＨＳＳ
１２６  インターフェース
１３２  移動性サーバ
１３２．１  ＳＩＰインターフェース
１３２．２  ホーム・エージェント
１３２．３  ＳＣＲ
１３２．４  ＰＥ
１３２．６  インターフェース
１３９  ＩＰＭＭ機能
１４０  ＩＰ通信層
１６０  Ｓｈインターフェース
１８０  ＩＳＣインターフェース
２００  移動性管理器
２０４  Ｓｈインターフェース・コントローラー
２０６  ＨＴＴＰインターフェース・コントローラー
２０８  ウエブ・サーバ
２１０  アクセス・ネットワーク評価（ＡＮＥ）インターフェース・コントローラー
２１２  ＳＭＴＰインターフェース・コントローラー
２５０  点線
【図１】
2007521773.tif 000003
【図２】
2007521773.tif 000004
【図３】
2007521773.tif 000005
【図４】
2007521773.tif 000006
【図５】
2007521773.tif 000007
【図６】
2007521773.tif 000008
【図７】
2007521773.tif 000009
【図８】
2007521773.tif 000010
【図９】
2007521773.tif 000011
【図１０】
2007521773.tif 000012
【国際調査報告】
2007521773.tif 000013
2007521773.tif 000014